(57)【特許請求の範囲】
【請求項１】
第１方向に平行な軸線について回転するように構成される感光ドラムを有するドラムカートリッジと、
前記第１方向に平行な軸線について回転するように構成される現像ローラを有し、前記現像ローラが前記感光ドラムに接触するように、前記ドラムカートリッジに装着可能な現像カートリッジとを備え、
前記ドラムカートリッジは、前記感光ドラムを支持し、第１ドラム側壁と、前記第１ドラム側壁に対して前記第１方向に間隔を隔てて配置される第２ドラム側壁とを備えるドラムフレームを有し、
前記ドラムフレームは、前記現像カートリッジが前記ドラムカートリッジに装着された状態で、前記第１方向と直交する第２方向において前記現像カートリッジを前記感光ドラムに向かって押圧する押圧部材と、前記現像カートリッジが前記ドラムカートリッジに装着された状態で、前記現像カートリッジに係合する係合部材とを備え、
前記現像カートリッジは、前記現像ローラを支持し、前記現像カートリッジが前記ドラムカートリッジに装着された状態で、前記第１ドラム側壁と前記第２ドラム側壁との間に配置される現像フレームを有し、
前記現像フレームは、第１現像側壁と、前記第１現像側壁に対して前記第１方向に間隔を隔てて配置される第２現像側壁とを備え、
前記第１現像側壁は、前記押圧部材によって前記感光ドラムに向かって押圧される被押圧部と、前記係合部材によって係合される被係合部とを備え、
前記押圧部材は、前記第２方向において、前記係合部材よりも前記感光ドラムに近い位置に設けられることを特徴とする、プロセスカートリッジ。
【請求項２】
前記現像カートリッジは、現像剤を前記現像ローラに向かって搬送するアジテータであって、前記第１方向に延びる回転軸について回転するように構成されるアジテータを備え、
前記被押圧部は、前記第２方向において、前記アジテータよりも感光ドラムに近い位置に設けられることを特徴とする、請求項１に記載のプロセスカートリッジ。
【請求項３】
前記現像カートリッジは、現像剤を前記現像ローラに向かって搬送する複数のアジテータであって、前記第１方向に延びる回転軸について回転するように構成される複数のアジテータを備え、
前記被押圧部は、前記第２方向において、前記複数のアジテータのうちの最も前記感光ドラムに近いアジテータよりも感光ドラムに近い位置に設けられることを特徴とする、請求項１に記載のプロセスカートリッジ。
【請求項４】
前記押圧部材は、前記感光ドラムに近接する方向と、前記感光ドラムから離れる方向とに、直線的に移動するように構成されていることを特徴とする、請求項１〜３のいずれか一項に記載のプロセスカートリッジ。
【請求項５】
前記被押圧部は、前記第１現像側壁から前記第１方向の外方に向かって突出する被押圧突起であることを特徴とする請求項１〜４のいずれか一項に記載のプロセスカートリッジ。
【請求項６】
前記第１ドラム側壁は、前記第１方向において前記第１現像側壁に向かい合い、
前記第２ドラム側壁は、前記第１方向において前記第２現像側壁に向かい合い、
前記被係合部は、前記第１現像側壁から前記第１方向の外方に向かって突出する被係合突起であり、
前記係合部材は、前記被係合突起に係合して前記現像カートリッジの離脱を規制する規制位置と、前記被係合突起に対する係合が解除されて前記現像カートリッジの離脱の規制が解除される規制解除位置との間を移動するように構成されるロック部材であることを特徴とする、請求項１〜５のいずれか一項に記載のプロセスカートリッジ。
【請求項７】
前記ロック部材は、
前記第１方向に延び、前記第１ドラム側壁に回転可能に支持される軸部と、
前記軸部から前記第１方向と直交する方向に延び、前記被係合突起に係合するように構成される規制部とを備え、
前記ドラムカートリッジは、前記ロック部材を前記規制位置へ向かって付勢する付勢部材を備えることを特徴とする、請求項６に記載のプロセスカートリッジ。
【請求項８】
前記軸部は、シャフトであり、
前記規制部は、爪であり、
前記付勢部材は、バネであることを特徴とする請求項７に記載のプロセスカートリッジ。
【請求項９】
前記係合部材は、前記第１現像側壁と前記第１ドラム側壁との間に配置されていることを特徴とする、請求項１〜８のいずれか一項に記載のプロセスカートリッジ。
【請求項１０】
前記ドラムカートリッジは、前記現像カートリッジが前記感光ドラムに装着された状態で、前記第１ドラム側壁と前記第１現像側壁との間に位置される壁部を有し、
前記係合部材は、前記第１ドラム側壁と前記壁部との間に配置されることを特徴とする、請求項１〜９のいずれか一項に記載のプロセスカートリッジ。
【請求項１１】
前記ドラムカートリッジは、前記第２方向および前記第１方向の両方と直交する方向において前記現像カートリッジに当接する当接部を備え、
前記係合部材は、前記当接部と前記現像ローラとの間に配置されていることを特徴とする、請求項１〜１０のいずれか一項に記載のプロセスカートリッジ。
【請求項１２】
前記ドラムカートリッジは、前記第２方向および前記第１方向の両方と直交する方向において前記現像カートリッジに当接する当接部を備え、
前記押圧部材は、前記当接部と前記現像ローラとの間に配置されていることを特徴とする、請求項１〜１１のいずれか一項に記載のプロセスカートリッジ。
【請求項１３】
前記ドラムカートリッジは、前記第２方向および前記第１方向の両方と直交する方向において前記現像カートリッジに当接する当接部を備え、
前記当接部は、前記ドラムカートリッジの前記第２方向における端部に配置されていることを特徴とする、請求項１〜１２のいずれか一項に記載のプロセスカートリッジ。
【請求項１４】
前記現像フレームは、前記第１方向に延び、前記第１現像側壁と前記第２現像側壁とを連結する連結壁であって、現像剤と接触する内面を有する連結壁を備え、
前記連結壁は、前記第２方向において、前記ドラムフレームを越えて前記感光ドラムから離れた位置に位置していることを特徴とする請求項１〜１３のいずれか一項に記載のプロセスカートリッジ。
【請求項１５】
第１方向に平行な軸線について回転するように構成される現像ローラを有する現像カートリッジが装着可能なドラムカートリッジであって、
前記第１方向に平行な軸線について回転するように構成される感光ドラムと、前記感光ドラムを支持し、第１ドラム側壁と、前記第１ドラム側壁に対して前記第１方向に間隔を隔てて配置される第２ドラム側壁と、を備えるドラムフレームを有し、
前記ドラムフレームは、
前記現像カートリッジが前記ドラムカートリッジに装着された状態で、前記第１方向と直交する第２方向において前記現像カートリッジを前記感光ドラムに向かって押圧する押圧部材と、
前記現像カートリッジが前記ドラムカートリッジに装着された状態で、前記現像カートリッジに係合する係合部材とを備え、
前記現像カートリッジは、前記現像ローラを支持し、前記現像カートリッジが前記ドラムカートリッジに装着された状態で、前記第１ドラム側壁と前記第２ドラム側壁との間に配置される現像フレームを有し、
前記現像フレームは、第１現像側壁と、前記第１現像側壁に対して前記第１方向に間隔を隔てて配置される第２現像側壁とを備え、
前記第１現像側壁は、前記押圧部材によって前記感光ドラムに向かって押圧される被押圧部と、前記係合部材によって係合される被係合部とを備え、
前記押圧部材は、前記第２方向において、前記係合部材よりも前記感光ドラムに近い位置に設けられることを特徴とする、ドラムカートリッジ。
【請求項１６】
前記押圧部材は、前記感光ドラムに近接する方向と、前記感光ドラムから離れる方向とに、直線的に移動するように構成されていることを特徴とする、請求項１５に記載のドラムカートリッジ。
【請求項１７】
前記第１ドラム側壁は、前記第１方向において前記第１現像側壁に向かい合い、
前記第２ドラム側壁は、前記第１方向において前記第２現像側壁に向かい合い、
前記被係合部は、前記第１現像側壁から前記第１方向の外方に向かって突出する被係合突起であり、
前記係合部材は、前記被係合突起に係合して前記現像カートリッジの離脱を規制する規制位置と、前記被係合突起に対する係合が解除されて前記現像カートリッジの離脱の規制が解除される規制解除位置との間を移動するように構成されるロック部材であることを特徴とする、請求項１５または１６に記載のドラムカートリッジ。
【請求項１８】
前記ロック部材は、
前記第１方向に延び、前記第１ドラム側壁に回転可能に支持される軸部と、
前記軸部から前記第１方向と直交する方向に延び、前記被係合突起に係合するように構成される規制部とを備え、
前記ドラムカートリッジは、前記ロック部材を前記規制位置へ向かって付勢する付勢部材を備えることを特徴とする、請求項１７に記載のドラムカートリッジ。
【請求項１９】
前記軸部は、シャフトであり、
前記規制部は、爪であり、
前記付勢部材は、バネであることを特徴とする請求項１８に記載のドラムカートリッジ。
【請求項２０】
前記係合部材は、前記第１現像側壁と前記第１ドラム側壁との間に配置されていることを特徴とする、請求項１５〜１９のいずれか一項に記載のドラムカートリッジ。
【請求項２１】
前記ドラムカートリッジは、前記現像カートリッジが装着された状態で、前記第１ドラム側壁と前記第１現像側壁との間に位置される壁部を有し、
前記係合部材は、前記第１ドラム側壁と前記壁部との間に配置されることを特徴とする、請求項１５〜２０のいずれか一項に記載のドラムカートリッジ。
【請求項２２】
前記ドラムカートリッジは、前記第２方向および前記第１方向の両方と直交する方向において前記現像カートリッジに当接する当接部を備え、
前記係合部材は、前記当接部と前記現像ローラとの間に配置されていることを特徴とする、請求項１５〜２１のいずれか一項に記載のドラムカートリッジ。
【請求項２３】
前記ドラムカートリッジは、前記第２方向および前記第１方向の両方と直交する方向において前記現像カートリッジに当接する当接部を備え、
前記押圧部材は、前記当接部と前記現像ローラとの間に配置されていることを特徴とする、請求項１５〜２２のいずれか一項に記載のドラムカートリッジ。
【請求項２４】
前記ドラムカートリッジは、前記第２方向および前記第１方向の両方と直交する方向において前記現像カートリッジに当接する当接部を備え、
前記当接部は、前記ドラムカートリッジの前記第２方向における端部に配置されていることを特徴とする、請求項１５〜２３のいずれか一項に記載のドラムカートリッジ。
【発明の詳細な説明】
【技術分野】
【０００１】
本発明は、電子写真方式が採用される画像形成装置に装着されるプロセスカートリッジおよびドラムカートリッジに関する。
【背景技術】
【０００２】
電子写真方式の画像形成装置に装着されるプロセスカートリッジとして、例えば、感光ドラムを有する感光体カートリッジと、現像ローラを有し、感光体カートリッジに装着される現像カートリッジとを備えるプロセスカートリッジが知られている（例えば、下記特許文献１参照。）。
【先行技術文献】
【特許文献】
【０００３】
【特許文献１】特開２０１１−１９７１９７号公報
【発明の概要】
【発明が解決しようとする課題】
【０００４】
しかし、上記した特許文献１に記載されるプロセスカートリッジでは、感光体カートリッジに設けられる押圧部によって、現像カートリッジの被押圧部を押圧することにより、現像ローラを感光ドラムに押圧している。
【０００５】
このようなプロセスカートリッジにおいて、現像カートリッジのトナーの収容量を増加させるために、感光体カートリッジの感光ドラムから遠い端部において、左右の支持側壁をつなぐ壁を設けず、現像カートリッジを、感光ドラムから遠ざかる方向に大型化することが検討される。
【０００６】
しかし、左右の支持側壁をつなぐ壁を設けない場合、感光体カートリッジの剛性が低下することが予想される。
【０００７】
この場合、押圧部と感光ドラムとの距離が過度に離れていると、押圧部が被押圧部を押圧するときの反力によって、感光体カートリッジがたわみ、現像ローラを感光ドラムに適切に押圧することが困難になるおそれがある。
【０００８】
そこで、本発明の目的は、現像剤の収容量を増加させた場合であっても、感光ドラムに対して現像ローラを安定に押圧することができるプロセスカートリッジおよびドラムカートリッジを提供することにある。
【課題を解決するための手段】
【０００９】
（１）上記した目的を達成するため、本発明のプロセスカートリッジは、第１方向に平行な軸線について回転するように構成される感光ドラムを有するドラムカートリッジと、第１方向に平行な軸線について回転するように構成される現像ローラを有し、現像ローラが感光ドラムに接触するように、ドラムカートリッジに装着可能な現像カートリッジとを備えている。
【００１０】
ドラムカートリッジは、感光ドラムを支持し、第１ドラム側壁と、第１ドラム側壁に対して第１方向に間隔を隔てて配置される第２ドラム側壁とを備えるドラムフレームを有している。
【００１１】
ドラムフレームは、現像カートリッジがドラムカートリッジに装着された状態で、現像カートリッジを感光ドラムに向かって押圧する押圧部材と、現像カートリッジがドラムカートリッジに装着された状態で、現像カートリッジに係合する係合部材とを備える。
【００１２】
現像カートリッジは、現像ローラを支持し、現像カートリッジがドラムカートリッジに装着された状態で、第１ドラム側壁と第２ドラム側壁との間に配置される現像フレームを有する。
【００１３】
現像フレームは、第１現像側壁と、第１現像側壁に対して第１方向に間隔を隔てて配置される第２現像側壁とを備える。
【００１４】
第１現像側壁は、押圧部材によって感光ドラムに向かって押圧される被押圧部と、係合部材によって係合される被係合部とを備える。
【００１５】
押圧部材は、第１方向に直交する第２方向において、係合部材よりも感光ドラムに近い位置に設けられる。
【００１６】
このような構成によれば、ドラムカートリッジの第１ドラム側壁と第２ドラム側壁とは、第１方向に間隔を隔てて配置されている。そして、押圧部材は、第１方向に直交する第２方向において、係合部材よりも感光ドラムに近い位置に設けられる。
【００１７】
そのため、ドラムカートリッジの感光ドラムから遠い端部において第１ドラム側壁と第２ドラム側壁とをつながない場合でも、係合部材よりも感光ドラムに近い押圧部材により、感光ドラムに向かって現像カートリッジを安定に押圧することができる。
【００１８】
その結果、現像カートリッジを、感光ドラムから遠ざかる方向に大型化し、現像剤の収容量を増加させた場合であっても、感光ドラムに対して現像ローラを安定に押圧することができる。
【００１９】
また、押圧部材よりも感光ドラムから遠い側のスペースを効率よく利用して、係合部材を配置することができる。
（２）本発明のドラムカートリッジは、第１方向に平行な軸線について回転するように構成される現像ローラを有する現像カートリッジが装着可能なドラムカートリッジであって、第１方向に平行な軸線について回転するように構成される感光ドラムと、感光ドラムを支持し、第１ドラム側壁と、第１ドラム側壁に対して第１方向に間隔を隔てて配置される第２ドラム側壁と、を備えるドラムフレームを有する。
【００２０】
ドラムフレームは、現像カートリッジがドラムカートリッジに装着された状態で、現像カートリッジを感光ドラムに向かって押圧する押圧部材と、現像カートリッジがドラムカートリッジに装着された状態で、現像カートリッジに係合する係合部材と、を備える。
【００２１】
現像カートリッジは、現像ローラを支持し、現像カートリッジがドラムカートリッジに装着された状態で、第１ドラム側壁と第２ドラム側壁との間に配置される現像フレームを有する。
【００２２】
現像フレームは、第１現像側壁と、第１現像側壁に対して第１方向に間隔を隔てて配置される第２現像側壁とを備える。
【００２３】
第１現像側壁は、押圧部材によって感光ドラムに向かって押圧される被押圧部と、係合部材によって係合される被係合部とを備える。
【００２４】
押圧部材は、第１方向に直交する第２方向において、係合部材よりも感光ドラムに近い位置に設けられる。
【００２５】
このような構成によれば、ドラムカートリッジの第１ドラム側壁と第２ドラム側壁とは、第１方向に間隔を隔てて配置されている。そして、押圧部材は、第１方向に直交する第２方向において、係合部材よりも感光ドラムに近い位置に設けられる。
【００２６】
そのため、ドラムカートリッジの感光ドラムから遠い端部において第１ドラム側壁と第２ドラム側壁とをつながない場合でも、係合部材よりも感光ドラムに近い押圧部材により、感光ドラムに向かって現像カートリッジを安定に押圧することができる。
【００２７】
その結果、現像カートリッジを、感光ドラムから遠ざかる方向に大型化し、現像剤の収容量を増加させた場合であっても、感光ドラムに対して現像ローラを安定に押圧することができる。
【００２８】
また、押圧部材よりも感光ドラムから遠い側のスペースを効率よく利用して、係合部材を配置することができる。
（３）現像カートリッジは、現像剤を前記現像ローラに向かって搬送するアジテータであって、第１方向に延びる回転軸について回転するように構成されるアジテータを備えてもよい。被押圧部は、第２方向において、アジテータよりも感光ドラムに近い位置に設けられてもよい。
【００２９】
そのため、アジテータよりも感光ドラムの近くにおいて、現像カートリッジを押圧することができる。
【００３０】
その結果、感光ドラムに対して現像ローラをより安定に押圧することができる。
（４）現像カートリッジは、現像剤を現像ローラに向かって搬送する複数のアジテータであって、第１方向に延びる回転軸について回転するように構成される複数のアジテータを備えてもよい。被押圧部は、第２方向において、複数のアジテータのうちの最も感光ドラムに近いアジテータよりも感光ドラムに近い位置に設けられてもよい。
【００３１】
このような構成によれば、複数のアジテータのうちの最も感光ドラムに近いアジテータの回転軸よりも感光ドラムの近くにおいて、現像カートリッジを押圧することができる。
【００３２】
その結果、感光ドラムに対して現像ローラを、より安定に押圧することができる。
（５）押圧部材は、感光ドラムに近接する方向と、感光ドラムから離れる方向とに、直線的に移動するように構成されていてもよい。
【００３３】
このような構成によれば、確実に、感光ドラムに向かって現像カートリッジを押圧することができる。
【００３４】
そのため、感光ドラムに対して現像ローラを、より一層安定に押圧することができる。
（６）被押圧部は、第１現像側壁から第１方向の外方に向かって突出する被押圧突起であってもよい。
【００３５】
このような構成によれば、第１方向の外方から被押圧突起に容易にアクセスすることができる。
（７）第１ドラム側壁は、第１方向において第１現像側壁に向かい合ってもよい。第２ドラム側壁は、第１方向において第２現像側壁に向かい合ってもよい。被係合部は、第１現像側壁から第１方向の外方に向かって突出する被係合突起であってもよい。係合部材は、被係合突起に係合して現像カートリッジの離脱を規制する規制位置と、被係合突起に対する係合が解除されて現像カートリッジの離脱の規制が解除される規制解除位置との間を移動するように構成されるロック部材であってもよい。
【００３６】
このような構成によれば、ロック部材を、第１方向の外方から、被係合突起に容易に係合させることができる。
（８）ロック部材は、第１方向に延び、第１ドラム側壁に回転可能に支持される軸部と、軸部から第１方向と直交する方向に延び、被係合突起に係合するように構成される規制部とを備えてもよい。ドラムカートリッジは、ロック部材を規制位置へ向かって付勢する付勢部材を備えてもよい。
【００３７】
このような構成によれば、付勢部材の付勢力により、ロック部材を確実に規制位置に位置することができる。
【００３８】
そのため、現像カートリッジの離脱を確実に規制できる。
（９）軸部は、シャフトであってもよい。規制部は、爪であってもよい。付勢部材は、バネであってもよい。
【００３９】
このような構成によれば、現像カートリッジをドラムカートリッジに確実にロックできる。
（１０）係合部材は、第１現像側壁と第１ドラム側壁との間に配置されていてもよい。
【００４０】
このような構成によれば、第１現像側壁と第１ドラム側壁との間のスペースを利用して係合部材を配置することができる。
（１１）ドラムカートリッジは、現像カートリッジが感光ドラムに装着された状態で、第１ドラム側壁と第１現像側壁との間に位置される壁部を有してもよい。係合部材は、第１ドラム側壁と壁部との間に配置されてもよい。
【００４１】
このような構成によれば、係合部材を、第１ドラム側壁と壁部との間で挟むように、確実に支持することができる。
（１２）ドラムカートリッジは、押圧部材の押圧方向および第１方向の両方と直交する方向において現像カートリッジに当接する当接部を備えてもよい。係合部材は、当接部と現像ローラとの間に配置されていてもよい。
【００４２】
このような構成によれば、当接部に現像カートリッジを当接させて、押圧部材の押圧方向および第１方向の両方と直交する方向において現像カートリッジの位置を決めながら、押圧部材で現像カートリッジを感光ドラムに向けて押圧できる。
【００４３】
そのため、より確実に、感光ドラムに向かって現像カートリッジを押圧することができる。
【００４４】
また、その状態で、係合部材により、現像カートリッジの離脱を規制することができる。
（１３）押圧部材は、当接部と現像ローラとの間に配置されていてもよい。
【００４５】
このような構成によれば、押圧部材よりも現像ローラから遠い位置において、当接部を現像カートリッジに当接させることができる。
【００４６】
そのため、現像ローラからより離れた位置において、押圧方向および第１方向の両方と直交する方向における現像カートリッジの位置を決めることができる。
【００４７】
そのため、感光ドラムに向かって現像カートリッジをより安定に押圧することができる。
（１４）当接部は、ドラムカートリッジの第２方向における端部に配置されていてもよい。
【００４８】
このような構成によれば、現像ローラから最も離れた位置において、当接部を現像カートリッジに当接させることができる。
【００４９】
そのため、感光ドラムに向かって現像カートリッジをより一層安定に押圧することができる。
（１５）現像フレームは、第１方向に延び、第１現像側壁と第２現像側壁とを連結する連結壁であって、現像剤と接触する内面を有する連結壁を備えてもよい。連結壁は、第２方向において、ドラムフレームを越えて感光ドラムから離れた位置に位置していてもよい。
【００５０】
このような構成によれば、現像フレームの連結壁は、第２方向において、ドラムフレームを越えて配置されている。
【００５１】
そのため、第２方向において、現像カートリッジを、ドラムフレームを越えて外方まで大型化することができる。
【発明の効果】
【００５２】
本発明のプロセスカートリッジおよびドラムカートリッジは、現像剤の収容量を増加させた場合であっても、感光ドラムに対して現像ローラを安定に押圧することができる。
【図面の簡単な説明】
【００５３】
【図１】図１は、本発明のプロセスカートリッジの前上方から見た斜視図である。
【図２】図２は、図１に示すドラムカートリッジの前上方から見た斜視図である。
【図３】図３は、図２に示すドラムカートリッジの右端部の後上方から見た斜視図であって、ロック部材および引張ばねを外した状態を示す。
【図４】図４は、図２に示すドラムカートリッジのＡ−Ａ線（図１１参照）に沿う断面図である。
【図５】図５は、図１に示す現像カートリッジの後上方から見た斜視図である。
【図６】図６は、図５に示す現像カートリッジの前下方から見た斜視図である。
【図７】図７は、図６に示す現像カートリッジの底面図である。
【図８】図８は、図５に示す現像フレームの後上方から見た斜視図である。
【図９】図９は、図７のＢ−Ｂ断面図である。
【図１０】図１０は、図１に示すプロセスカートリッジの平面図である。
【図１１】図１１は、図１０のＣ−Ｃ断面図である。
【図１２】図１２は、図１０のＤ−Ｄ断面図である。
【図１３】図１３は、現像カートリッジの離脱動作を説明する説明図であって、図１２の状態からロック部材が右側面視反時計回りに回転し、リフト部がリフト当接部に当接した状態を示す。
【図１４】図１４は、図１３に続いて現像カートリッジの離脱動作を説明する説明図であって、現像カートリッジが右側面視時計回りに回動し、現像カートリッジの右壁の後上端部がドラムカートリッジの当接部に当接した状態を示す。
【図１５】図１５は、図１４に続いて現像カートリッジの離脱動作を説明する説明図であって、ロック部材が規制解除位置に位置し、現像カートリッジの右被押圧突起がドラムカートリッジの右押圧部材から上方に外れた状態を示す。
【図１６】図１６は、図１に示すプロセスカートリッジが装着される画像形成装置の中央断面図である。
【発明を実施するための形態】
【００５４】
１．プロセスカートリッジの概略
以下の説明において、プロセスカートリッジ１の方向に言及するときには、プロセスカートリッジ１を水平に載置した状態を上下の基準とする。具体的には、図１中に示す方向矢印を基準とする。
【００５５】
プロセスカートリッジ１は、図１および図１６に示すように、ドラムカートリッジ２と、現像カートリッジ３とを備えている。
【００５６】
ドラムカートリッジ２は、感光ドラム４と、スコロトロン型帯電器５と、転写ローラ６とを備えている。
【００５７】
感光ドラム４は、ドラムカートリッジ２の後端部に回転可能に支持されている。感光ドラム４は、左右方向に延びる円筒形状を有している。感光ドラム４の回転軸線Ａ１は、左右方向に延びている。
【００５８】
スコロトロン型帯電器５は、感光ドラム４の後上方において、感光ドラム４と間隔を隔てて配置されている。
【００５９】
転写ローラ６は、感光ドラム４の下方に配置されている。転写ローラ６は、感光ドラム４の下端部と接触している。
【００６０】
現像カートリッジ３は、感光ドラム４の前方において、ドラムカートリッジ２に装着されている。現像カートリッジ３は、現像ローラ７と、供給ローラ８と、層厚規制ブレード９と、トナー収容部１０とを備えている。
【００６１】
現像ローラ７は、現像カートリッジ３の後端部に回転可能に支持されている。現像ローラ７は、現像ローラ軸７Ａと、現像ローラ本体７Ｂとを備えている。
【００６２】
現像ローラ軸７Ａは、円柱形状を有している。現像ローラ軸７Ａは、左右方向に延びている。すなわち、現像ローラ７の回転軸線Ａ２は、左右方向に延びている。現像ローラ軸７Ａは、金属からなる。
【００６３】
現像ローラ本体７Ｂは、円筒形状を有している。現像ローラ本体７Ｂは、左右方向に延びている。現像ローラ本体７Ｂは、導電性を有するゴムからなる。現像ローラ本体７Ｂは、現像ローラ軸７Ａの左右両端部を被覆せず、現像ローラ軸７Ａの左右方向中央を被覆している。現像ローラ本体７Ｂは、感光ドラム４の前端部に接触している。
【００６４】
供給ローラ８は、現像ローラ７の前下方において、現像カートリッジ３に回転可能に支持されている。供給ローラ８は、供給ローラ軸８Ａと、供給ローラ本体８Ｂとを備えている。
【００６５】
供給ローラ軸８Ａは、円柱形状を有している。供給ローラ軸８Ａは、左右方向に延びている。供給ローラ軸８Ａは、金属からなる。
【００６６】
供給ローラ本体８Ｂは、円筒形状を有している。供給ローラ本体８Ｂは、左右方向に延びている。供給ローラ本体８Ｂは、導電性を有するスポンジからなる。供給ローラ本体８Ｂは、供給ローラ軸８Ａの左右両端部を被覆せず、供給ローラ軸８Ａの左右方向中央を被覆している。供給ローラ本体８Ｂは、現像ローラ本体７Ｂの前下端部に接触している。
【００６７】
層厚規制ブレード９は、現像ローラ７の前上方に配置されている。層厚規制ブレード９は、現像ローラ本体７Ｂの前端部に接触している。
【００６８】
トナー収容部１０は、供給ローラ８および層厚規制ブレード９の前方に配置されている。トナー収容部１０は、トナーを収容するように構成されている。トナー収容部１０は、アジテータ１１を備えている。
【００６９】
アジテータ１１は、トナー収容部１０内に回転可能に支持されている。アジテータ１１は、アジテータ軸１１Ａと、羽根１１Ｂとを備えている。
【００７０】
アジテータ軸１１Ａは、左右方向に延びる円柱形状を有している。すなわち、アジテータ１１の回転軸線Ａ３は、左右方向に延びている。
【００７１】
羽根１１Ｂは、アジテータ軸１１Ａの外周面から径方向外方へ延びている。
２．ドラムカートリッジの詳細
図２に示すように、ドラムカートリッジ２は、上端部および前端部が開放された平面視矩形のトレイ形状を有している。ドラムカートリッジ２は、ドラムフレーム２１を備えている。
【００７２】
ドラムフレーム２１は、ベースフレーム２２と、カバーフレーム２３とを備えている。
（１）ベースフレーム
ベースフレーム２２は、ドラムフレーム２１の下半分を構成する。ベースフレーム２２は、前壁を備えず、左壁２４Ｌと、右壁２４Ｒと、下壁２５と、左押圧部材２６Ｌと、右押圧部材２６Ｒと、ロック部材２７とを備えている。
（１−１）左壁、右壁および下壁
左壁２４Ｌは、ベースフレーム２２の左端部に配置されている。左壁２４Ｌは、前後方向に延び、側面視矩形の板形状を有している。左壁２４Ｌは、左ガイド溝２９Ｌを有している。
【００７３】
左ガイド溝２９Ｌは、左壁２４Ｌの前後方向中央に配置されている。左ガイド溝２９Ｌは、左壁２４Ｌの上端部から下方へ凹み、上端部が解放された側面視Ｕ字形状を有している。左ガイド溝２９Ｌは、第１ガイド面３０Ａと、第２ガイド面３０Ｂと、嵌合部３０Ｃとを有している。
【００７４】
第１ガイド面３０Ａは、左ガイド溝２９Ｌの前方の内周面である。第１ガイド面３０Ａは、左壁２４Ｌの上端部から後下方へ延びている。
【００７５】
第２ガイド面３０Ｂは、左ガイド溝２９Ｌの下方の内周面である。第２ガイド面３０Ｂは、第１ガイド面３０Ａの下端部から連続して後方へ延びている。
【００７６】
嵌合部３０Ｃは、左ガイド溝２９Ｌの後下端部に配置されている。嵌合部３０Ｃは、左ガイド溝２９Ｌの後方の内周面から後方へ凹む凹溝である。嵌合部３０Ｃは、前端部が解放された側面視Ｕ字形状を有している。嵌合部３０Ｃの下面は、第２ガイド面３０Ｂに連続している。
【００７７】
右壁２４Ｒは、図２および図３に示すように、ベースフレーム２２の右端部に配置されている。右壁２４Ｒは、前後方向に延び、側面視矩形の板形状を有している。右壁２４Ｒは、右ガイド溝２９Ｒと、ロック支持穴３２と、係止突起３３とを有している。
【００７８】
右ガイド溝２９Ｒは、右壁２４Ｒの前後方向中央に配置されている。右ガイド溝２９Ｒは、右壁２４Ｒの上端部から下方へ凹み、上端部が解放された側面視Ｕ字形状を有している。右ガイド溝２９Ｒは、第１ガイド面３１Ａと、第２ガイド面３１Ｂと、嵌合部３１Ｃとを有している。
【００７９】
第１ガイド面３１Ａは、右ガイド溝２９Ｒの前方の内周面である。第１ガイド面３１Ａは、右壁２４Ｒの上端部から後下方へ延びている。
【００８０】
第２ガイド面３１Ｂは、右ガイド溝２９Ｒの下方の内周面である。第２ガイド面３１Ｂは、第１ガイド面３１Ａの下端部から連続して後方へ延びている。
【００８１】
嵌合部３１Ｃは、右ガイド溝２９Ｒの後下端部に配置されている。嵌合部３１Ｃは、右ガイド溝２９Ｒの後方の内周面から後方へ凹む凹溝である。嵌合部３１Ｃは、前端部が解放された側面視Ｕ字形状を有している。嵌合部３１Ｃの下面は、第２ガイド面３１Ｂに連続している。
【００８２】
ロック支持穴３２は、右壁２４Ｒの前端部に配置されている。ロック支持穴３２は、右壁２４Ｒを左右方向に貫通し、側面視円形状を有している。
【００８３】
係止突起３３は、ロック支持穴３２の下方に配置されている。係止突起３３は、右壁２４Ｒの左面から左方へ延び、左端部において下方へ屈曲する鉤形状を有している。
【００８４】
下壁２５は、図２および図４に示すように、左壁２４Ｌの下端部と右壁２４Ｒの下端部との間に配置されている。下壁２５は、左右方向に延び、平面視矩形の板形状を有している。下壁２５の左端部は、左壁２４Ｌの下端部に連続している。下壁２５の右端部は、右壁２４Ｒの下端部に連続している。下壁２５は、左押圧部材支持部３４Ｌと、右押圧部材支持部３４Ｒと、壁部３５と、複数のコロ２８と、ドラムカートリッジ把持部３８と、搬送ローラ１００とを有している。
【００８５】
左押圧部材支持部３４Ｌは、下壁２５の左端部に配置されている。左押圧部材支持部３４Ｌは、左ガイド溝２９Ｌよりも前方に配置されている。左押圧部材支持部３４Ｌは、下壁２５の上面から上方へ延び、後端部が開放された角筒形状を有している。左押圧部材支持部３４Ｌは、前壁３６Ａと、左壁３６Ｂと、右壁３６Ｃとを備えている。
【００８６】
前壁３６Ａは、左押圧部材支持部３４Ｌの前端部に配置されている。前壁３６Ａは、左右方向に延び、正面視矩形の板形状を有している。
【００８７】
左壁３６Ｂは、左押圧部材支持部３４Ｌの左端部に配置されている。左壁３６Ｂは、前後方向に延び、側面視矩形の板形状を有している。左壁３６Ｂの前端部は、前壁３６Ａの左端部に連続している。
【００８８】
右壁３６Ｃは、左押圧部材支持部３４Ｌの右端部に配置されている。右壁３６Ｃは、前後方向に延び、側面視矩形の板形状を有している。右壁３６Ｃの前端部は、前壁３６Ａの右端部に連続している。
【００８９】
右押圧部材支持部３４Ｒは、下壁２５の右端部に配置されている。右押圧部材支持部３４Ｒは、右ガイド溝２９Ｒよりも前方、かつ、ロック支持穴３２（図３参照）よりも後方において、左右方向に見て左押圧部材支持部３４Ｌと一致する位置に配置されている。右押圧部材支持部３４Ｒは、下壁２５の上面から上方へ延び、後端部が開放された角筒形状を有している。右押圧部材支持部３４Ｒは、前壁３７Ａと、左壁３７Ｂと、右壁３７Ｃとを備えている。
【００９０】
前壁３７Ａは、右押圧部材支持部３４Ｒの前端部に配置されている。前壁３７Ａは、左右方向に延び、正面視矩形の板形状を有している。
【００９１】
左壁３７Ｂは、右押圧部材支持部３４Ｒの左端部に配置されている。左壁３７Ｂは、前後方向に延び、側面視矩形の板形状を有している。左壁３７Ｂの前端部は、前壁３７Ａの左端部に連続している。
【００９２】
右壁３７Ｃは、右押圧部材支持部３４Ｒの右端部に配置されている。右壁３７Ｃは、前後方向に延び、側面視矩形の板形状を有している。右壁３７Ｃの前端部は、前壁３７Ａの右端部に連続している。
【００９３】
壁部３５は、下壁２５の左前端部において、右壁２４Ｒの左方に間隔を隔てて配置されている。壁部３５は、ロック支持穴３２よりも前方に配置されている。壁部３５は、下壁２５の上面から上方へ延びている。壁部３５は、前後方向に延び、側面視矩形の板形状を有している。
【００９４】
複数のコロ２８のそれぞれは、下壁２５の前端部の左右方向両端部のそれぞれに配置されている。複数のコロ２８のそれぞれは、左右方向に延びる円柱形状を有している。複数のコロ２８のそれぞれは、下壁２５の上面に回転可能に支持されている。
【００９５】
ドラムカートリッジ把持部３８は、下壁２５の前端部の左右方向中央に配置されている。ドラムカートリッジ把持部３８の上面は、複数のコロ２８のそれぞれの上端部よりも低い。
【００９６】
搬送ローラ１００は、下壁２５の前後方向中央の下面に配置されている。搬送ローラ１００は、左右方向に延びる円柱形状を有している。搬送ローラ１００の左端部は、左壁２４Ｌよりも左方に突出している。また、搬送ローラ１００の右端部は、右壁２４Ｒよりも右方に突出している。搬送ローラ１００の左端部は、プロセスカートリッジ１を後述する装置本体８２（図１６参照）に挿入するときに、装置本体８２内の図示しないガイドに接触する。これにより、プロセスカートリッジ１を後述する装置本体８２に挿入するときに、搬送ローラ１００が装置本体８２の意図しない構成に当接して音を発生すること等を防止できる。
（１−２）左押圧部材および右押圧部材
左押圧部材２６Ｌは、左押圧部材支持部３４Ｌの左壁３６Ｂと右壁３６Ｃとの間に配置されている。左押圧部材２６Ｌは、後端部が閉鎖された角筒形状を有している。左押圧部材２６Ｌの後面４０は、上下左右に延びる平面である。左押圧部材２６Ｌは、圧縮ばね３９Ｌによって、常には、後方へ付勢されている。圧縮ばね３９Ｌは、左押圧部材２６Ｌの後壁と、左押圧部材支持部３４Ｌの前壁３６Ａとの間に配置されている。
【００９７】
右押圧部材２６Ｒは、右押圧部材支持部３４Ｒの左壁３７Ｂと右壁３７Ｃとの間に配置されている。右押圧部材２６Ｒは、後端部が閉鎖された角筒形状を有している。右押圧部材２６Ｒの後面４１は、上下左右に延びる平面である。右押圧部材２６Ｒは、圧縮ばね３９Ｒによって、常には、後方へ付勢されている。圧縮ばね３９Ｒは、右押圧部材２６Ｒの後壁と、右押圧部材支持部３４Ｒの前壁３７Ａとの間に配置されている。
（１−３）ロック部材および引張ばね
ロック部材２７は、図２および図３に示すように、右壁２４Ｒと壁部３５との間に配置され、右壁２４Ｒの前端部に支持されている。ロック部材２７は、規制位置（図１２参照）と規制解除位置（図１５参照）との間を回動する。なお、以下のロック部材２７の説明では、ロック部材２７が規制位置に位置した状態を基準とする。ロック部材２７は、シャフト４２と、規制部４３と、操作部４４と、リフト部４５と、係止突起４６とを備えている。
【００９８】
シャフト４２は、左右方向に延びる円柱形状を有している。シャフト４２は、ロック支持穴３２内に回転可能に嵌まっている。
【００９９】
規制部４３は、シャフト４２の上方の周面から上方へ延び、左右方向に延びる角筒形状を有している。規制部４３は、爪４３Ａを有している。
【０１００】
爪４３Ａは、規制部４３の上端部から後下方へ突出している。爪４３Ａは、後下端部に頂部を有する側面視楔形状を有している。
【０１０１】
操作部４４は、規制部４３の上端部から前方へ向かって延び、平面視矩形の板形状を有している。操作部４４の前端部は、ロック部材２７が規制位置に位置している状態で、壁部３５に向かい合うように、壁部３５の右方に配置されている。
【０１０２】
リフト部４５は、シャフト４２の下方の周面から後下方へ延び、平面視矩形の板形状を有している。
【０１０３】
係止突起４６は、リフト部４５の右面から右方へ延び、右端部において上方へ屈曲する鉤形状を有している。
【０１０４】
引張ばね４７は、上下方向に延びる引張コイルばねである。引張ばね４７の上端部は、ロック部材２７の係止突起４６に係止されている。また、引張ばね４７の下端部は、右壁２４Ｒの係止突起３３に係止されている。引張ばね４７は、ロック部材２７が規制位置に位置している状態において、自然長になっている。
（２）カバーフレーム
カバーフレーム２３は、図２に示すように、感光ドラム４を覆うように、ベースフレーム２２の後端部の上方に配置されている。カバーフレーム２３は、スコロトロン型帯電器５を支持している。カバーフレーム２３は、当接部５０を有している。
【０１０５】
当接部５０は、カバーフレーム２３の右端部の前端部に配置されている。当接部５０は、カバーフレーム２３の上壁から下方へ延び、角柱形状を有している。当接部５０の前面５０Ａは、上下方向に延びる平面である。
【０１０６】
なお、ドラムカートリッジ２において、カバーフレーム２３と、左壁２４Ｌの後端部と、右壁２４Ｒの後端部と、下壁２５の後端部とによって画定されるボックス形状の部分が、感光ドラム４を支持するドラム支持部４８である。
【０１０７】
また、ドラムカートリッジ２において、ドラム支持部４８よりも前方において、左壁２４Ｌと、右壁２４Ｒと、下壁２５とによって画定されるトレイ形状の部分が、現像カートリッジ３が装着される現像カートリッジ装着部４９である。
４．現像カートリッジの詳細
現像カートリッジ３は、図５および図６に示すように、現像フレーム５１と、駆動部５２とを備えている。
（１）現像フレーム
現像フレーム５１は、図６および図８に示すように、ボックス形状を有している。現像フレーム５１は、トナー収容部１０を有し、現像ローラ７、供給ローラ８および層厚規制ブレード９を支持している。現像フレーム５１は、左壁５３Ｌと、右壁５３Ｒと、下壁５４と、前壁５５と、上壁５６とを備えている。
【０１０８】
左壁５３Ｌは、図８に示すように、現像フレーム５１の左端部に配置されている。左壁５３Ｌは、前後方向に延びる側面視矩形の板形状を有している。左壁５３Ｌは、左被押圧突起６０Ｌを有している。
【０１０９】
左被押圧突起６０Ｌは、アジテータ軸１１Ａの下方において、左壁５３Ｌの下端部に配置されている。左被押圧突起６０Ｌは、左壁５３Ｌの左面から左方に延び、後端部が開放された側面視Ｕ字形状を有している。左被押圧突起６０Ｌの前面６１は、上下方向中央が前方へ膨らむように湾曲する湾曲面である。
【０１１０】
右壁５３Ｒは、図６および図１２に示すように、現像フレーム５１の右端部に配置されている。右壁５３Ｒは、前後方向に延びる側面視矩形の板形状を有している。右壁５３Ｒは、右被押圧突起６０Ｒと、リフト当接部６３と、被係合突起６４と、カバー当接部１０１とを有している。
【０１１１】
右被押圧突起６０Ｒは、右壁５３Ｒの下端部において、左右方向に見て左被押圧突起６０Ｌと一致する位置に配置されている。右被押圧突起６０Ｒは、右壁５３Ｒの右面から右方に延び、後端部が開放された側面視Ｕ字形状を有している。右被押圧突起６０Ｒの前面６２は、上下方向中央が前方へ膨らむように湾曲する湾曲面である。
【０１１２】
リフト当接部６３は、右被押圧突起６０Ｒの前方に配置されている。リフト当接部６３は、右壁５３Ｒの右面から右方に延び、側面視Ｌ字形状を有している。
【０１１３】
被係合突起６４は、右被押圧突起６０Ｒの前上方に配置されている。リフト当接部６３は、右壁５３Ｒの右面から右方に延び、角筒形状を有している。被係合突起６４の前上端部６４Ａは、前上方へ向かう頂部を有する側面視楔形状を有している。
【０１１４】
カバー当接部１０１は、右壁５３Ｒの前端部に配置されている。カバー当接部１０１は、右壁５３Ｒの右面から右方に延び、後端部が開放された側面視Ｕ字形状を有している。カバー当接部１０１の前面は、上下方向中央が前方へ膨らむように湾曲する湾曲面である。カバー当接部１０１は、プロセスカートリッジ１が後述する装置本体８２（図１６参照）に装着されるときに、フロントカバー８６によって、感光ドラム４に向かうように後方へ押圧される。
【０１１５】
下壁５４は、前後方向に延びる板形状を有している。下壁５４の左端部は、左壁５３Ｌの下端部に連続している。下壁５４の右端部は、右壁５３Ｒの下端部に連続している。
【０１１６】
前壁５５は、下壁５４の前端部に連続して上方へ延びる板形状を有している。前壁５５の左端部は、左壁５３Ｌの前端部に連続している。前壁５５の右端部は、右壁５３Ｒの前端部に連続している。前壁５５は、現像カートリッジ把持部７６と、突部１０３とを備えている。
【０１１７】
現像カートリッジ把持部７６は、前壁５５の前端部の左右方向中央に配置されている。現像カートリッジ把持部７６は、前壁５５の前端部から前方へ突出し、平面視矩形の枠形状を有している。
【０１１８】
突部１０３は、図６および図９に示すように、前壁５５から前方へ突出している。突部１０３は、ボックス形状を有している。突部１０３は、上端部において、トナー収容部１０に連通している。突部１０３とトナー収容部１０との連通部分１０３Ａの上下方向長さは、突部１０３の内部空間の上下方向長さよりも短い。これにより、トナー収容部１０から突部１０３へトナーが流入することを抑制できる。また、トナー収容部１０から突部１０３へトナーが流入したとしても、突部１０３に流入したトナーが再度トナー収容部１０へ戻ることを抑制できる。
【０１１９】
上壁５６は、平面視矩形の板形状を有している。上壁５６の前端部は、前壁５５の上端部に固定されている。上壁５６の左端部は、左壁５３Ｌの上端部に固定されている。上壁５６の右端部は、右壁５３Ｒの上端部に固定されている。
（２）駆動部
駆動部５２は、図５に示すように、現像カートリッジ３の左端部において、現像フレーム５１の左方に配置されている。駆動部５２は、複数のギアから構成される図示しないギア列と、ギア列を覆うギアカバー６６とを備えている。
【０１２０】
ギアカバー６６は、図７および図１１に示すように、開口７５を有している。
【０１２１】
開口７５は、左被押圧突起６０Ｌを露出している。
５．ドラムカートリッジからの現像カートリッジの離脱作業
（１）ドラムカートリッジに対する現像カートリッジの装着状態
現像カートリッジ３は、図１および図１０に示すように、ドラムカートリッジ２の現像カートリッジ装着部４９に装着される。すなわち、現像カートリッジ３の左壁５３Ｌは、ドラムカートリッジ２の左壁２４Ｌの右方に向かい合って配置される。また、現像カートリッジ３の右壁５３Ｒは、ドラムカートリッジ２の右壁２４Ｒの右方に向かい合って配置される。
【０１２２】
現像カートリッジ３がドラムカートリッジ２に装着されているときには、現像ローラ軸７Ａの左端部は、左壁２４Ｌの左ガイド溝２９Ｌの嵌合部３０Ｃ内に嵌まっている。また、現像ローラ軸７Ａの右端部は、右壁２４Ｒの右ガイド溝２９Ｒの嵌合部３１Ｃ内に嵌まっている。これにより、現像ローラ７は、感光ドラム４に対して上下方向に位置固定されている。
【０１２３】
また、現像カートリッジ３の前端部は、ドラムカートリッジ２の左壁２４Ｌの前端部と右壁２４Ｒの前端部との間から、ドラムカートリッジ２の前端部よりも前方へ突出している。
【０１２４】
また、図１および図２に示すように、現像カートリッジ３の左壁２４Ｌの下端部および右壁２４Ｒの下端部のそれぞれは、ドラムカートリッジ２の複数のコロ２８のそれぞれに当接している。
【０１２５】
また、図１１および図１２に示すように、左押圧部材２６Ｌは、後面４０において、現像カートリッジ３の左被押圧突起６０Ｌの前面６１に当接し、圧縮ばね３９Ｌの付勢力により、左被押圧突起６０Ｌを後方へ押圧している。また、右押圧部材２６Ｒは、後面４１において、現像カートリッジ３の右被押圧突起６０Ｒの前面６２に当接し、圧縮ばね３９Ｒの付勢力により、右被押圧突起６０Ｒを後方へ押圧している。これにより、現像カートリッジ３は、後方へ押圧され、現像ローラ７は、感光ドラム４に押圧されている。
【０１２６】
このとき、左押圧部材２６Ｌおよび右押圧部材２６Ｒのそれぞれは、前後方向において、複数のコロ２８のそれぞれと、現像ローラ７との間に配置されている。
【０１２７】
また、感光ドラム４の回転軸線Ａ１と、左押圧部材２６Ｌに対する左被押圧突起６０Ｌの接触部分Ｃとの距離Ｌ１は、感光ドラム４の回転軸線Ａ１と、アジテータ軸１１Ａの回転軸線Ａ３との距離Ｌ２よりも短い。
【０１２８】
なお、左被押圧突起６０Ｌと右被押圧突起６０Ｒとは、左右方向に見て一致しているので、感光ドラム４の回転軸線Ａ１と、左押圧部材２６Ｌに対する左被押圧突起６０Ｌの接触部分との距離も、感光ドラム４の回転軸線Ａ１と、アジテータ軸１１Ａの回転軸線Ａ３との距離Ｌ２よりも短い。
【０１２９】
また、図１０に示すように、ロック部材２７は、現像カートリッジ３の右壁５３Ｒとドラムカートリッジ２の右壁２４Ｒとの間に配置されている。
【０１３０】
また、図１２に示すように、ロック部材２７の規制部４３の爪４３Ａは、現像カートリッジ３の被係合突起６４の前上端部６４Ａの上方に配置されている。また、リフト部４５の後下端部は、リフト当接部６３の前下方に配置されている。
（２）ドラムカートリッジからの現像カートリッジの離脱作業
ドラムカートリッジ２からの現像カートリッジ３の離脱作業において、作業者は、まず、図１２に示す状態で、ロック部材２７の操作部４４を前下方へ押圧する。
【０１３１】
すると、ロック部材２７は、シャフト４２を中心に右側面視反時計回りに回動する。
【０１３２】
すると、図１３に示すように、リフト部４５は、現像カートリッジ３のリフト当接部６３に前下方から当接する。
【０１３３】
次いで、作業者がロック部材２７の操作部４４をさらに前下方へ押圧すると、ロック部材２７は、シャフト４２を中心にさらに右側面視反時計回りに回動する。
【０１３４】
すると、リフト部４５は、現像カートリッジ３のリフト当接部６３を後上方へ押圧し、現像カートリッジ３の右端部を後上方へ持ち上げる。
【０１３５】
すると、図１４に示すように、現像カートリッジ３の右端部は、現像ローラ７の後端部を支点として、右側面視時計回りに回動する。
【０１３６】
このとき、現像カートリッジ３は、右端部のみがロック部材２７によって持ち上げられることにより、左端部に対して右端部が右側面視時計回りにねじれるように、わずかに撓む。
【０１３７】
すると、現像カートリッジ３の右壁２４Ｒの後上端部Ｅは、ドラムカートリッジ２のカバーフレーム２３の当接部５０の前面５０Ａに当接する。これにより、現像カートリッジ３の右端部は、ドラムカートリッジ２のカバーフレーム２３により、それ以上の後方への移動が規制される。なお、このとき、現像カートリッジ３の左壁２４Ｌは、ドラムカートリッジ２のカバーフレーム２３には当接していない。
【０１３８】
次いで、作業者がロック部材２７の操作部４４をさらに前下方へ押圧すると、ロック部材２７は、シャフト４２を中心にさらに右側面視反時計回りに回動する。
【０１３９】
すると、リフト部４５は、現像カートリッジ３のリフト当接部６３をさらに上方へ押圧し、現像カートリッジ３の右端部をさらに上方へ持ち上げる。
【０１４０】
すると、現像カートリッジ３の右端部は、現像カートリッジ３の右壁２４Ｒの後上端部Ｅを支点として、さらに右側面視時計回りに回動する。
【０１４１】
そして、図１５に示すように、ロック部材２７が規制解除位置に位置すると、右被押圧突起６０Ｒが、右押圧部材２６Ｒから上方へ外れる。次いで、現像カートリッジ３の撓みが復元することにより、左被押圧突起６０Ｌが、左押圧部材２６Ｌから上方へ外れる。
【０１４２】
次いで、作業者は、現像カートリッジ把持部７６を把持して、現像カートリッジ３をドラムカートリッジ２の現像カートリッジ装着部４９から上方へ離脱させる。
【０１４３】
このように、ドラムカートリッジ２からの現像カートリッジ３の離脱が完了する。
【０１４４】
なお、現像カートリッジ３をドラムカートリッジ２に装着するときには、作業者は、現像カートリッジ把持部７６を把持して、現像カートリッジ３の後端部をドラムカートリッジ２の現像カートリッジ装着部４９に上方から挿入し、その後、現像カートリッジ３の前端部を下方へ押圧する。
【０１４５】
すると、現像カートリッジ３は、現像ローラ７が感光ドラム４に前方から当接された後、その後端部を支点として左側面視時計回りに回動し、上記したように、現像カートリッジ装着部４９内に装着される。
【０１４６】
このように、ドラムカートリッジ２に対する現像カートリッジ３の装着が完了する。
５．プロセスカートリッジの使用態様
図１６に示すように、プロセスカートリッジ１は、画像形成装置８１に装着されて使用される。
【０１４７】
画像形成装置８１は、電子写真方式のモノクロプリンタである。画像形成装置８１は、装置本体８２と、上記したプロセスカートリッジ１と、スキャナユニット８３と、定着ユニット８４とを備えている。
【０１４８】
装置本体８２は、ボックス形状に形成されている。装置本体８２は、開口部８５と、フロントカバー８６と、給紙トレイ８７と、排紙トレイ８８とを有している。
【０１４９】
開口部８５は、装置本体８２の前端部に配置されている。開口部８５は、プロセスカートリッジ１の通過を許容するように、装置本体８２の内外を前後方向に連通している。
【０１５０】
フロントカバー８６は、装置本体８２の前端部に配置されている。フロントカバー８６は、板形状を有している。フロントカバー８６は、上下方向に延び、その下端部を支点として装置本体８２の前壁に揺動可能に支持されている。フロントカバー８６は、開口部８５を開放または閉鎖するように構成されている。
【０１５１】
給紙トレイ８７は、装置本体８２の底部に配置されている。給紙トレイ８７は、用紙Ｐを収容するように構成されている。
【０１５２】
排紙トレイ８８は、装置本体８２の上壁の前側半分に配置されている。排紙トレイ８８は、用紙Ｐが載置されるように、装置本体８２の上面から下方へ凹んでいる。
【０１５３】
プロセスカートリッジ１は、装置本体８２の上下方向中央に収容されている。プロセスカートリッジ１は、開口部８５を介して装置本体８２に対して装着または離脱される。
【０１５４】
スキャナユニット８３は、プロセスカートリッジ１の上方に配置されている。スキャナユニット８３は、感光ドラム４に向けて画像データに基づくレーザービームを出射するように構成されている。
【０１５５】
定着ユニット８４は、プロセスカートリッジ１の後方に配置されている。定着ユニット８４は、加熱ローラ８９と、加熱ローラ８９の後下端部に圧接される加圧ローラ９０とを備えている。
【０１５６】
画像形成装置８１が画像形成動作を開始すると、スコロトロン型帯電器５は、感光ドラム４の表面を一様に帯電する。スキャナユニット８３は、感光ドラム４の表面を露光する。これにより、画像データに基づく静電潜像が、感光ドラム４の表面に形成される。
【０１５７】
また、アジテータ１１は、アジテータ軸１１Ａについて回転することにより、トナー収容部１０内のトナーを撹拌して、供給ローラ８に供給する。すなわち、アジテータ１１は、回転軸線Ａ３に直交する方向、具体的には前方に向かってトナーを搬送する。供給ローラ８は、アジテータ１１によって供給されたトナーを現像ローラ７に供給する。このとき、トナーは、現像ローラ７と供給ローラ８との間で正極性に摩擦帯電され、現像ローラ７に担持される。層厚規制ブレード９は、現像ローラ７に担持されたトナーの層厚を一定厚さに規制する。
【０１５８】
そして、現像ローラ７に担持されたトナーは、感光ドラム４表面の静電潜像に供給される。これにより、トナー像が、感光ドラム４の表面に担持される。
【０１５９】
用紙Ｐは、給紙トレイ８７から、各種ローラの回転により、所定のタイミングで１枚ずつ、感光ドラム４と転写ローラ６との間に給紙される。感光ドラム４表面のトナー像は、用紙Ｐが感光ドラム４と転写ローラ６との間を通過するときに、用紙Ｐに転写される。
【０１６０】
その後、用紙Ｐは、加熱ローラ８９と加圧ローラ９０との間を通過するときに加熱および加圧される。これにより、用紙Ｐ上のトナー像は、用紙Ｐに熱定着される。その後、用紙Ｐは、排紙トレイ８８に排紙される。
６．特許請求の範囲との対応関係
左右方向は、第１方向の一例である。前後方向は、第２方向および押圧方向の一例である。上下方向は、押圧方向および第１方向の両方と直交する方向の一例である。
【０１６１】
トナーは、現像剤の一例である。
【０１６２】
ドラムカートリッジ２の左壁２４Ｌは、第２ドラム側壁の一例である。ドラムカートリッジ２の右壁２４Ｒは、第１ドラム側壁の一例である。左押圧部材２６Ｌおよび右押圧部材２６Ｒは、押圧部材の一例である。感光ドラム４の回転軸線Ａ１は、感光ドラムの軸線の一例である。ロック部材２７は、係合部材の一例である。シャフト４２は、軸部の一例である。引張ばね４７は、付勢部材の一例である。コロ２８は、当接部の一例である。
【０１６３】
現像カートリッジ３の左壁５３Ｌは、第２現像側壁の一例である。現像カートリッジ３の右壁５３Ｒは、第１現像側壁の一例である。現像カートリッジ３の前壁５４は、連結壁の一例である。左被押圧突起６０Ｌおよび右被押圧突起６０Ｒは、被押圧部の一例である。現像ローラ７の回転軸線Ａ２は、現像ローラの軸線の一例である。アジテータ軸１１Ａは、アジテータ１１の回転軸の一例である。被係合突起６４は、被係合部の一例である。
７．作用効果
（１）プロセスカートリッジ１およびドラムカートリッジ２によれば、図２に示すように、ドラムカートリッジ２の左壁２４Ｌと左壁２４Ｒとは、左右方向に間隔を隔てて配置されている。そして、左押圧部材２６Ｌおよび右押圧部材２６Ｒは、前後方向において、ロック部材２７よりも感光ドラム４に近い位置に設けられる。
【０１６４】
そのため、ドラムカートリッジ２の前端部において左壁２４Ｌと左壁２４Ｒとをつながない場合、より具体的には、ドラムカートリッジ２が前壁を有さない場合でも、ロック部材２７よりも感光ドラム４に近い左押圧部材２６Ｌおよび右押圧部材２６Ｒにより、感光ドラム４に向かって現像カートリッジ３を安定に押圧することができる。
【０１６５】
その結果、現像カートリッジ３を、感光ドラム４から遠ざかるように前方に大型化し、トナーの収容量を増加させた場合であっても、感光ドラム４に対して現像ローラ７を安定に押圧することができる。
【０１６６】
また、右押圧部材２６Ｒよりも前側のスペースを効率よく利用して、ロック部材２７を配置することができる。
（２）プロセスカートリッジ１およびドラムカートリッジ２によれば、図１３に示すように、左被押圧突起６０Ｌと左押圧部材２６Ｌとの接触部分Ｃと、感光ドラム４の回転軸線Ａ１との距離Ｌ１は、アジテータ１１の回転軸線Ａ３と、感光ドラム４の回転軸線Ａ２との距離Ｌ１よりも短い。
【０１６７】
そのため、アジテータ軸１１Ａよりも感光ドラム４の近くにおいて、現像カートリッジ３を押圧することができる。
【０１６８】
その結果、感光ドラム４に対して現像ローラ７を、より安定に押圧することができる。
（３）プロセスカートリッジ１およびドラムカートリッジ２によれば、図１３および図１４に示すように、左押圧部材２６Ｌおよび右押圧部材２６Ｒは、前後方向に、直線的に移動可能である。
【０１６９】
そのため、確実に、感光ドラム４に向かって現像カートリッジ３を押圧することができる。
【０１７０】
その結果、感光ドラム４に対して現像ローラ７を、より一層安定に押圧することができる。
（４）プロセスカートリッジ１およびドラムカートリッジ２によれば、図６に示すように、右被押圧突起６０Ｒは、右壁５３Ｒから右方に向かって突出している。
【０１７１】
そのため、右方から右被押圧突起６０Ｒに容易にアクセスすることができる。
【０１７２】
また、図８に示すように、左被押圧突起６０Ｌは、左壁５３Ｌから左方に向かって突出している。
【０１７３】
そのため、左方から左被押圧突起６０Ｌに容易にアクセスすることができる。
（５）プロセスカートリッジ１およびドラムカートリッジ２によれば、図６に示すように、ロック部材２７が係合する被係合突起６４は、右壁５３Ｒから右方に向かって突出している。
【０１７４】
そのため、ロック部材２７を、右方から、被係合突起６４に容易に係合させることができる。
（６）プロセスカートリッジ１およびドラムカートリッジ２によれば、図２および図３に示すように、引張ばね４７の付勢力により、ロック部材２７を確実に規制位置に位置することができる。
【０１７５】
そのため、現像カートリッジ３の離脱を確実に規制できる。
（７）プロセスカートリッジ１およびドラムカートリッジ２によれば、図１２に示すように、ロック部材２７は、現像フレーム５１の右壁５３Ｒと、ドラムフレーム２１の右壁２４Ｒとの間に配置されている。
【０１７６】
そのため、現像フレーム５１の右壁５３Ｒと、ドラムフレーム２１の右壁２４Ｒとの間のスペースを利用してロック部材２７を配置することができる。
（８）プロセスカートリッジ１およびドラムカートリッジ２によれば、図２に示すように、ロック部材２７は、ドラムフレーム２１の右壁２４Ｒと壁部３５との間に配置されている。
【０１７７】
そのため、ロック部材２７を、ドラムフレーム２１の右壁２４Ｒと壁部３５との間で挟むように、確実に支持することができる。
（９）プロセスカートリッジ１およびドラムカートリッジ２によれば、図２に示すように、ロック部材２７は、現像カートリッジ３が上方から当接するコロ２８と現像ローラ７との間に配置されている。
【０１７８】
そのため、図１３に示すように、コロ２８に現像カートリッジ３を当接させて、上下方向において現像カートリッジ３の位置を決めながら、左押圧部材２６Ｌおよび右押圧部材２６Ｒで現像カートリッジ３を感光ドラム４に向けて押圧できる。
【０１７９】
その結果、より確実に、感光ドラム４に向かって現像カートリッジ３を押圧することができる。
【０１８０】
また、その状態で、図１４に示すように、ロック部材２７により、現像カートリッジ３の離脱を確実に規制することができる。
（１０）プロセスカートリッジ１およびドラムカートリッジ２によれば、図１３に示すように、左押圧部材２６Ｌは、左方のコロ２８と感光ドラム４との間に配置されている。また、右押圧部材２６Ｒは、右方のコロ２８と感光ドラム４との間に配置されている。
【０１８１】
そのため、左押圧部材２６Ｌおよび右押圧部材２６Ｒよりも現像ローラ７から遠い位置において、コロ２８を現像カートリッジ３に当接させることができる。
【０１８２】
これにより、現像ローラ７からより離れた位置において、上下方向における現像カートリッジ３の位置を決めることができる。
【０１８３】
その結果、感光ドラム４に向かって現像カートリッジ３をより安定に押圧することができる。
（１１）プロセスカートリッジ１およびドラムカートリッジ２によれば、図２に示すように、コロ２８は、ドラムカートリッジ２の前端部に配置されている。
【０１８４】
そのため、図１３に示すように、現像ローラ７から最も離れた位置において、コロ２８を現像カートリッジ３に当接させることができる。
【０１８５】
その結果、感光ドラム４に向かって現像カートリッジ３をより一層安定に押圧することができる。
（１２）プロセスカートリッジ１およびドラムカートリッジ２によれば、図１に示すように、現像フレーム５１の前壁５５は、ドラムフレーム２１を越えて前方に位置している。
【０１８６】
そのため、現像カートリッジ３を、ドラムフレーム２１を越えて前方まで大型化することができる。
８．変形例
（１）上記した実施形態では、トナー収容部１０内に１つのアジテータ１１を設けているが、トナー収容部１０の容量を大きくした場合には、トナー収容部１０内に、複数のアジテータ１１を設けることもできる。
【０１８７】
この場合、左被押圧突起６０Ｌと左押圧部材２６Ｌとの接触部分Ｃと、感光ドラム４の回転軸線Ａ１との距離Ｌ１は、最も感光ドラム４に近いアジテータ１１の回転軸線Ａ３と、感光ドラム４の回転軸線Ａ２との距離Ｌ１よりも短くてもよい。
【０１８８】
この変形例によれば、複数のアジテータ１１のうちの最も感光ドラム４に近いアジテータ１１のアジテータ軸１１Ａよりも感光ドラム４の近くにおいて、現像カートリッジ３を押圧することができる。
【０１８９】
その結果、感光ドラム４に対して現像ローラ７を、より安定に押圧することができる。
（２）上記した実施形態では、現像カートリッジ３は、ドラムカートリッジ２に装着された状態で、画像形成装置８１の装置本体８２に対して装着または離脱されるが、画像形成装置８１の装置本体８２内にドラムカートリッジ２が装着された状態で、ドラムカートリッジ２に対して、現像カートリッジ３を装着または離脱させてもよい。
（３）上記した実施形態では、当接部の一例としてコロ２８を挙げたが、当接部としては、例えば、ドラムカートリッジ２の下壁２５から上方に突出する球状の突起などを適用することもできる。
（４）上記した実施形態では、付勢部材の一例として引張ばね４７を挙げたが、付勢部材としては、例えば、ゴムバンドなどを適用することもできる。
（５）上記した実施形態において、現像ローラ７は、現像フレーム５１の左壁５３Ｌと右壁５３Ｒとに、直接的に支持されてもよい。また、現像ローラ７は、軸受などを介して、現像フレーム５１の左壁５３Ｌと右壁５３Ｒとに、間接的に支持されてもよい。
【符号の説明】
【０１９０】
１      プロセスカートリッジ
２      ドラムカートリッジ
３      現像カートリッジ
４      感光ドラム
７      現像ローラ
１１    アジテータ
１１Ａ  アジテータ軸
２１    ドラムフレーム
２４Ｌ  左壁
２４Ｒ  右壁
２６Ｌ  左押圧部材
２６Ｒ  右押圧部材
２７    ロック部材
２８    コロ
３５    壁部
４２    シャフト
４３Ａ  爪
４７    引張ばね
５１    現像フレーム
５３Ｌ  左壁
５３Ｒ  右壁
６０Ｌ  左被押圧突起
６０Ｒ  右被押圧突起
６４    被係合突起
【図１】
0006421631.tif 000002
【図２】
0006421631.tif 000003
【図３】
0006421631.tif 000004
【図４】
0006421631.tif 000005
【図５】
0006421631.tif 000006
【図６】
0006421631.tif 000007
【図７】
0006421631.tif 000008
【図８】
0006421631.tif 000009
【図９】
0006421631.tif 000010
【図１０】
0006421631.tif 000011
【図１１】
0006421631.tif 000012
【図１２】
0006421631.tif 000013
【図１３】
0006421631.tif 000014
【図１４】
0006421631.tif 000015
【図１５】
0006421631.tif 000016
【図１６】
0006421631.tif 000017